(57)【要約】      （修正有）【課題】吸口体横方向の集塵性能を向上させた電気掃除機の吸口体およびこれを備えた電気掃除機を提供する。【解決手段】第１回転清掃体２０と、第２回転清掃体３０と、サイドブラシ７０、７１を備えた吸口体６であって、サイドブラシ７０、７１が第２回転清掃体３０の左右方向両端よりも左右方向に配置され、第２回転清掃体３０およびサイドブラシ７０、７１は同一の軸部３０ａに固定され、且つ、軸部３０ａは吸口本体に回転可能に支持され、吸口体６を移動させたときの床面との摩擦力によって回転するように構成したことにより、第２回転清掃体３０とサイドブラシ７０、７１が同時に回転するので、吸口体６の左右どちらの壁際の塵埃も吸引することができる。また、電動機によって駆動されるものではなく、小型で軽量である。【選択図】図３
2018183467.tif 000002
【特許請求の範囲】
【請求項１】
吸引力を発生する掃除機本体に連通する吸口体と、該吸口体の下面の左右両端に設けられるブラシとを備え、該ブラシは、床面もしくは壁面との摩擦により回転駆動されることを特徴とする電気掃除機の吸口体およびこれを備えた電気掃除機。
【請求項２】
吸引力を発生する掃除機本体に連通する吸口体と、該吸口体の下面の左右両端に設けられるブラシとを備え、該ブラシは、床面もしくは壁面との摩擦により回転駆動され、前記吸口体が後退時には回転し、前記吸口体が前進時には回転しないことを特徴とする電気掃除機の吸口体およびこれを備えた電気掃除機。
【請求項３】
床面と略平行な回転軸を有する第１回転清掃体と、前記第１回転清掃体を支持する吸込室と、前記第１回転清掃体の後方に、前記回転軸と平行な軸を有し、前記床面と接触する第２回転清掃体とを備え、該第２回転清掃体の表面には、刷毛体もしくは弾性体が設けられ、該刷毛体もしくは弾性体は、当該吸口体の一部に接触するように設けられており、当該吸口体の後進時に前記第２回転清掃体の回転動作を許容し、かつ前進時に前記第２回転清掃体の回転動作を規制するように、円周方向に傾斜しており、前記第２回転清掃体の両端に、前記第２回転清掃体と連動して回転し、表面に刷毛体もしくは弾性体が設けられたサイドブラシを設けていることを特徴とする電気掃除機の吸口体およびこれを備えた電気掃除機。
【請求項４】
吸口体本体と、該吸口体本体の下面の左右両端に設けられるブラシと、を備え、
該ブラシは、前記吸口体本体から側部方向に突出するよう設けられていることを特徴とする電気掃除機の吸口体及びこれを備えた電気掃除機。
【発明の詳細な説明】
【技術分野】
【０００１】
本発明は、電気掃除機の吸口体及びこれを備えた電気掃除機に関する。
【背景技術】
【０００２】
本技術分野の背景技術として、特許第2520732号公報（特許文献１）がある。この公報には、底面に吸込口を形成した吸込口本体と、この吸込口本体に前記吸込口に臨んで配置され回転面を垂直として回転自在に設けられた垂直回転清掃体と、この垂直回転清掃体を回転駆動する電動機と、前記吸込口本体の底面に前記吸込口よりも左右方向外側に位置して配置され回転面を水平として回転自在に設けられた水平回転清掃体と、この水平回転清掃体を回転駆動する電動機と、前記吸込口本体の前後移動方向を検出する検出手段と、この検出手段が前記吸込口本体の前方への移動を検出する前記水平回転清掃体を前側に位置する部分が内側に向かうよう回転させるとともに前記垂直回転清掃体を前方に回転させ、前記吸込口本体の後方への移動を検出すると前記水平回転清掃体を後側に位置する部分が内側に向かうよう回転させるとともに前記垂直回転清掃体を後方に回転させる制御手段とが記載されている。
【０００３】
また、特開第2001-87182号公報（特許文献２）には、集塵室を有し電動送風機等が内蔵された本体、該本体に接続されたホース及びパイプ、吸引口を有し前記パイプに接続されて塵埃等を吸引する吸い込み具等からなる電気掃除機において、前記吸い込み具に、下面前部側の前記吸引口の両側にそれぞれ独立して駆動される円盤状ブラシと、電動機、該電動機に駆動される中間軸及び円盤状ブラシが着脱可能に装着され前記中間軸から動力が伝達される接続具を有し、これら電動機、中間軸及び接続具をギヤボックス内に収容して前記円盤状ブラシの駆動装置を構成した電気掃除機が記載されている。
【先行技術文献】
【特許文献】
【０００４】
【特許文献１】特許第2520732号公報
【特許文献２】特開2001-87182号公報
【発明の概要】
【発明が解決しようとする課題】
【０００５】
しかしながら特許文献１に記載の吸込口体は、水平回転清掃体を回転駆動する電動機と、前記吸込口本体の前後移動方向を検出する検出手段と、回転方向を切り替える制御手段とが必要で吸込口体が大きく、重くなるという問題があった。また、吸込口体の横幅に対して垂直回転清掃体の幅が狭くなるという問題があった。
【０００６】
また、特許文献２に記載の吸い込み具は、吸引口の両側にそれぞれ独立して駆動される円盤状ブラシと、電動機、中間軸及び接続具をギヤボックス内に収容して前記円盤状ブラシの駆動装置を構成するため、吸い込み具が大きく、重くなるという問題があった。
【０００７】
本発明の目的は、吸口体横方向の集塵性能を向上させた、小型で軽量な電気掃除機の吸口体およびこれを備えた電気掃除機を提供することにある。
【課題を解決するための手段】
【０００８】
吸引力を発生する掃除機本体に連通する吸口体と、前記吸口体の下面の左右両端に設けられるブラシとを備え、前記ブラシは、床面もしくは壁面との摩擦により回転駆動されることを特徴とする。 
【発明の効果】
【０００９】
本発明によれば、簡単な構成で吸口体横方向の集塵性能を向上させることができるので、小型軽量で高集塵な電気掃除機の吸口体を提供することができる。
【図面の簡単な説明】
【００１０】
【図１】本発明に係る電気掃除機の全体を示す外観斜視図である。
【図２】本発明に係る実施例１の吸口体の上面図である。
【図３】本発明に係る実施例１の吸口体の下面図である。
【図４】本発明に係る実施例１の吸口体の側面図である。
【図５】本発明に係る実施例１の吸口体の上側部分を取り外した状態の上面図である。
【図６】図２に記載の吸口体の前進時のＡ−Ａ断面図である。
【図７】図２に記載の吸口体の後退時のＡ−Ａ断面図である。
【図８】本発明に係る実施例１の吸口体の前進時のサイドブラシ付近の下面拡大図である。
【図９】本発明に係る実施例１の吸口体の後退時のサイドブラシ付近の下面拡大図である。
【図１０】本発明に係る実施例２の吸口体の上面図である。
【図１１】本発明に係る実施例２の吸口体の下面図である。
【図１２】本発明に係る実施例２の吸口体の側面図である。
【図１３】図１０に記載の吸口体のＢ−Ｂ断面図である。
【図１４】本発明に係る実施例２の吸口体の前進時のサイドブラシ付近の下面拡大図である。
【図１５】本発明に係る実施例２の吸口体の後退時のサイドブラシ付近の下面拡大図である。
【図１６】本発明に係る実施例３の吸口体の上面図である。
【図１７】本発明に係る実施例３の吸口体の下面図である。
【図１８】本発明に係る実施例３の吸口体の側面図である。
【図１９】図１８に記載の吸口体のＣ−Ｃ断面図である。
【図２０】本発明に係る実施例３の吸口体の前進時のサイドブラシ付近の下面拡大図である。
【図２１】本発明に係る実施例３の吸口体の後退時のサイドブラシ付近の下面拡大図である。
【発明を実施するための形態】
【００１１】
以下、図面を参照して説明する。なお、方向は、図面中の上下左右前後方向に従う。
【実施例１】
【００１２】
以下、本発明に係る実施例１について図面を参照して説明する。
【００１３】
図１に本発明の実施例１に係る電気掃除機の外観図を示す。電気掃除機１は、掃除機本体２と、ホース部３と接続し手元操作スイッチＳＷ等が設けられた操作管４と、伸縮自在に設けられた延長管５と、吸口体６とで構成されている。
【００１４】
掃除機本体２は、吸引力を発生させる電動送風機２ａ、この電動送風機２ａの吸引力で集塵した塵埃を収容する集塵部２ｂなどを備えている。なお、本実施例では、いわゆるサイクロン式の電気掃除機を例に挙げて説明するが、いわゆる紙パック式の電気掃除機に適用してもよい。集塵部２ｂは、掃除機本体２に対して着脱可能としても良い。
【００１５】
ホース部３の一端は、掃除機本体２の集塵部２ｂと連通するように掃除機本体２の接続口２ｃに接続されている。また、ホース部３の他端は、操作管４の一端に接続されている。
【００１６】
操作管４は、手元操作スイッチＳＷなどを備えたハンドル４ａ、掃除機本体２から給電される図示しない給電端子などを備えている。この給電端子には、延長管５の一端に設けられる図示しない通電端子が接続される。
【００１７】
操作管４の手元操作スイッチＳＷを操作することによって、電動送風機２ａの運転と停止や強中弱の切り替え、吸口体６に設けられた電動機４０（図５参照）の運転と停止が可能となっている。
【００１８】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。なお、延長管５は伸縮しないものでもよい。
【００１９】
図２は、吸口体の上面図である。
【００２０】
図２に示すように、吸口体６は、上面視において略Ｔ字形状を呈する吸口ケース１０と、吸口ケース１０に連結される吸口継手１３と、サイドブラシ（ブラシ）７０、７１とを備えている。
【００２１】
吸口ケース１０は、上面視において、左右方向（幅方向）に細長く形成された吸口本体１１と、吸口本体１１の左右方向の中央部に吸口継手１３と連結される連結部１２とを備えている。連結部１２には、吸口本体１１と吸口継手１３とを連通させる流路Ｒ（図３参照）が形成されている。
【００２２】
吸口本体１１には、前端面から左右側面にかけてバンパ１１ａが設けられている。バンパ１１ａは、ゴムやエラストマー等の弾性材料から形成されており、使用時に吸口本体１１内の気密を確保するとともに、電気掃除機１（図１参照）の使用時に吸口本体１１が家具等に衝突した際に、当該家具等への傷付き防止と吸口本体１１への衝撃を吸収する緩衝材の役割を果たしている。
【００２３】
吸口継手１３は、連結部１２に対して前後方向に回動自在に連結される第１連結部１４と、この第１連結部１４に対して左右方向に回動自在に連結される第２連結部１５とを備えている。なお、回動の方向はこの限りでない。
【００２４】
第１連結部１４は、図２の上面視において略半トラック形状を呈し、連結部１２と連結される円筒形状の軸１４ａを有している。この軸１４ａは、軸方向が吸口本体１１の左右方向であって、軸１４ａの両端部が連結部１２に形成された軸受部１２ｇ（図５参照）に支持されている。また、第１連結部１４は、床面（清掃面）Ｍ（図４参照）に対して略平行な状態から略垂直な状態まで（上下方向に）回動可能となるように構成されている。すなわち、第１連結部１４を吸口ケース１０に対して軸１４ａを支点として回動させることによって、延長管５（図１参照）を床面Ｍ（図４参照）に略平行な状態と略垂直な状態との間において回動させることができる。
【００２５】
第２連結部１５は、第１連結部１４に対して吸口本体１１の左右方向に（図２の紙面時計回り方向および反時計回り方向に）回動可能となるように構成されている。これにより、例えば、延長管５を床面Ｍに対して略垂直にした状態から、延長管５を床面Ｍに略平行な状態に向けて倒すことができる。
【００２６】
また、第２連結部１５には、給電が行われる給電端子１５ａが設けられている。なお、本実施例の電気掃除機１（図１参照）では、吸口体６に給電する電力を、掃除機本体２からホース部３、操作管４、延長管５を通じて供給するように構成している。図３は、吸口体の下面図である。図４は、吸口体の側面図である。
【００２７】
図３および図４に示すように、吸口体６は、第１回転清掃体（回転ブラシ）２０、第２回転清掃体３０を備えている。吸口ケース１０（吸口本体１１）には、下面（清掃面に対峙する面）に開口部を有するブラシ室Ｑと、同じく下面に開口部（吸引口）を有する均圧室Ｐとが形成されている。
【００２８】
第１回転清掃体２０は、吸口本体１１の左右方向に沿って前後方向の前側に配置され、ブラシ室Ｑ内に回転可能に支持されている。また、第１回転清掃体２０は、吸口本体１１の左右方向（第１回転清掃体２０の軸方向）の一端側から他端側まで連続して設けられている。
【００２９】
また、第１回転清掃体２０は、硬さが異なるブラシなど複数種類のブラシ２０ａ、２０ｂ、２０ｃを備え、各ブラシ２０ａ、２０ｂ、２０ｃがらせん状に配設されている。なお、本実施形態では、３種類のブラシ２０ａ、２０ｂ、２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。
【００３０】
第２回転清掃体３０は、第１回転清掃体２０の直径よりも小径で、刷毛体により覆われていて、第１回転清掃体２０に対して後方且つ平行に配置されている。また、第２回転清掃体３０は、第１回転清掃体２０の軸方向と平行に、吸口本体１１の左右方向の一端側から他端側にかけて連続して設けられている。
【００３１】
また、第２回転清掃体３０は、第１回転清掃体２０の回転軸と平行な軸部３０ａ（軸）を有し、軸部３０ａが吸口ケース１０（吸口本体１１）に回転可能に支持されている。なお、第２回転清掃体３０は、電動機によって駆動されるものではなく、吸口体６を移動させたときの床面Ｍ（図４参照）との摩擦力によって回転するように構成されたものである。このように、第２回転清掃体３０は、軸部３０ａを介して吸口本体１１に支持されるものであるので、第２回転清掃体３０の構成を簡略化することができる。
【００３２】
サイドブラシ７０および７１は、刷毛体等の弾性材料で覆われていて、それぞれ、第２回転清掃体３０の左右方向両端よりも左右方向に配置されている。サイドブラシ７０、７１および第２回転清掃体３０は、同一の軸部３０ａ（軸）に固定されており、同時に回転する。
【００３３】
吸口体６は、吸口ケース１０の連結部１２の下面に、ブラシ駆動スイッチ１６、車輪１７、軸受押え部材３１、３２を備えている。
【００３４】
ブラシ駆動スイッチ１６は、吸口体６の下面が床面Ｍ（清掃面）に接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して床面Ｍと接触していないと検出されたときには、回路基板５０（制御基板）（図５参照）の制御によって電動機４０（図５参照）の駆動が停止され、第１回転清掃体２０の回転が停止する。また、車輪１６ａが押し込まれて床面Ｍと接触していると検出されたときには、回路基板５０の制御によって電動機４０が駆動され、第１回転清掃体２０が回転する。
【００３５】
車輪１７は、操作管４で操作される前後動や回転操作の応力を受けて吸口体６の底面を床面Ｍに密着させ、これにより吸口体６の操作性能を向上する役割を有している。
【００３６】
軸受押え部材３１は、第１回転清掃体２０の回転軸および第２回転清掃体３０の軸部３０ａの一端を支持するものであり、吸口ケース１０にねじを用いて固定されている。
【００３７】
軸受押え部材３２は、第１回転清掃体２０の回転軸および第２回転清掃体３０の軸部３０ａの他端を支持するものであり、取り外し可能となるように吸口ケース１０にロック機構（図示せず）を用いて固定されている。
【００３８】
図５は、吸口体６の吸口ケース１０の上側部分を取り外した状態の上面図である。
【００３９】
図５に示すように、吸口体６は、第１回転清掃体２０（図３参照）および第２回転清掃体３０（図３参照）の上方に、第１回転清掃体２０を駆動する電動機４０および電動機４０を制御する回路基板５０を備えている。
【００４０】
電動機４０は、吸口本体１１の左右方向の一端側に取り付けられている。また、電動機４０は、その出力軸が吸口本体１１の左右方向と平行に配置されている。また、電動機４０の出力軸は、左右方向の一端側に向けて延び、吸口本体１１内の一端部（図示右側の端部）において、歯付きベルト４１を介して第１回転清掃体２０と連結されている。
【００４１】
回路基板５０は、吸口本体１１の左右方向で電動機４０とは反対側に取り付けられている。また、回路基板５０は、長辺が左右方向に沿って配置された長方形状の基板を有し、実装面が鉛直方向上向きの状態で吸口本体１１内に配置されている。なお、実装面は、必ずしも鉛直方向上向きに限定されず、水平方向に対して傾斜してもよく、前後方向を向くように（縦向きに）してもよい。
【００４２】
図６および図７は図２におけるＡ−Ａ断面図である。図６において、６３はブラシ室Ｑと均圧室Ｐを隔てる前方隔壁、６４は第２回転清掃体３０と均圧室Ｐを隔てる後方隔壁である。本実施例では、前方隔壁６３が前記第１の気密保持手段を構成し、後方隔壁６４が第２の気密保持手段を構成している。
【００４３】
図６に示すように、均圧室Ｐは床面Ｍに向かって開口（吸引口）を有しており、その他の面は吸口体筐体の隔壁により囲まれおり、図３に示す流路Ｒと流路的に連通している。この均圧室Ｐは、前方隔壁６３と後方隔壁６４により負圧を大きくすることができる。また、前方隔壁６３と後方隔壁６４は、床面Ｍへの傷つけ防止のため、３ｍｍから５ｍｍ程度の床面Ｍとの隙間を有しているが、比較的大きなごみは前方から吸引する場合が多いので、前方隔壁６３と床面Ｍとの隙間は、後方隔壁６４と床面Ｍとの隙間より大きいことが望ましい。
【００４４】
また、均圧室Ｐの開口幅Ｌ４は、比較的大きな塵埃も通過する必要があるため、６ｍｍ以上が望ましく、また開口幅Ｌ４を大きくすると、吸口体６と床面Ｍとの吸引力が増して、操作抵抗が増大するため、第１回転清掃体２０の直径より小さいことが望ましい。
【００４５】
吸口体６の前進時には、前方の塵埃Ｄ１は、第１回転清掃体２０により掻き取られ、吸口体後方へ送られる。そして前方隔壁６３と床面Ｍとの隙間を通って均圧室Ｐ内に吸引され、流路Ｒ（図３参照）に流入する。
【００４６】
第２回転清掃体３０は、パイプ体３０ｃの外側に微細繊維で形成されたカットパイル状の起毛布３０ｂが螺旋状に巻かれており、この起毛布３０ｂの微細繊維はパイプ体３０ｃに対し円周方向に傾斜している。この起毛布３０ｂの先端は、後方隔壁６４の表面に接触する様な刷毛高さを有している。このため、第２回転清掃体３０が回転する際、起毛布３０ｂと後方隔壁６４の表面との間で、摩擦抵抗が発生するが、微細繊維がパイプ体３０ｃに対し円周方向に傾斜しているため、回転方向Ｗ１には、摩擦抵抗が大きくほぼロック状態となる。このため、吸口体前進時には、第２回転清掃体３０は回転しない。そのため、均圧室Ｐ内に吸引された塵埃Ｄ１が、第２回転清掃体３０をすり抜けて吸口体６の後方へ取りこぼすことがない。
【００４７】
一方、吸口体６の後退時には、図７に示すように、起毛布３０ｂと後方隔壁６４の表面との間の摩擦抵抗が小さく、第２回転清掃体３０は床面Ｍとの摩擦力によって回転方向Ｗ２の方向へ回転する。後方の塵埃Ｄ２は、第２回転清掃体３０が回転することにより、吸口体前方へ送られる。そして後方隔壁６４と床面Ｍとの隙間を通って均圧室Ｐ内に吸引され、流路Ｒ（図３参照）に流入する。
【００４８】
次に壁際の清掃時のサイドブラシ７０の動作について説明する。図８および図９は、吸口体６を用いて壁Ｋの際を清掃している様子を下方向から見た図である。
【００４９】
図８は吸口体６の前進時を示す図であり、第２回転清掃体３０およびサイドブラシ７０は回転しない。そのため壁際の塵埃Ｄ３は、サイドブラシ７０により遮られ、流路７６を通って均圧室Ｐ内に吸引される。このときサイドブラシ７０は回転しないため、壁際の床面に蓄積した塵埃を擦り取る効果もある。
【００５０】
図９は吸口体６の後退時を示す図であり、第２回転清掃体３０およびサイドブラシ７０は回転する。そのため壁際の塵埃Ｄ４は、サイドブラシ７０の下方を通過し、流路７６を通って均圧室Ｐ内に吸引される。サイドブラシ７０は、刷毛体等の弾性材料で覆われているため、壁Ｋや床面Ｍを傷つけることはない。
【００５１】
なおここではサイドブラシ７０の動作について述べたが、サイドブラシ７１の動作も同様であり、吸口体６の左右どちらの壁際の塵埃も吸引する事が出来る。
【００５２】
以上述べたように本実施例によれば、簡単な構成で吸口体横方向の集塵性能を向上させることができるので、小型軽量で高集塵な電気掃除機の吸口体を提供することができる。
【００５３】
また、実施例１では、サイドブラシ７０、７１および第２回転清掃体３０は、同一の軸部３０ａ（軸）に固定されているため、吸口体６の後退時にサイドブラシ７０、７１および第２回転清掃体３０が回転するための駆動力である床面からの摩擦力が大きくなるため、表面粗さが小さいタイルなどの床材でも確実に回転する事が出来るという効果もある。
【００５４】
なお、第２回転清掃体３０と、サイドブラシ７０，７１とを同軸とせず、同じ刷毛の向き及びロック機構を備えるようにしても良い。
【００５５】
サイドブラシ７０，７１は、吸口ケース１０から左右方向に一部が突出するよう設けられている。
【実施例２】
【００５６】
以下、本発明に係る実施例２について図１０〜図１５を参照して説明する。なお、実施例１と同一の構成物には同一番号を付している。
【００５７】
図１０は、実施例２の吸口体の上面図である。図１１は実施例２の吸口体の下面図である。図１２は実施例２の吸口体の側面図である。図１３は図１０におけるＢ−Ｂ断面図である。７２，７３はサイドブラシである。サイドブラシ７２，７３は、第１回転清掃体の左右方向両端よりも左右方向に配置されている。サイドブラシ７０、７１および第２回転清掃体３０は、同一の軸部３０ａ（軸）に固定されて、同時に回転してもよい。
【００５８】
サイドブラシ７３は、シャフト７３ａと、その周囲に回転自由に配置されたパイプ体７３ｃと、パイプ体７３ｃの外側に螺旋状に巻かれた微細繊維で形成されたカットパイル状の起毛布７３ｂとから構成されており、この起毛布７３ｂの微細繊維はパイプ体７３ｃに対し円周方向に傾斜している。この起毛布７３ｂの先端は、吸口体の円筒状の壁１１ｂの表面に接触する様な刷毛高さを有している。このため、サイドブラシ７３が回転する際、起毛布７３ｂと壁１１ｂの表面との間で、摩擦抵抗が発生するが、微細繊維がパイプ体７３ｃに対し円周方向に傾斜しているため、回転方向Ｗ３には、摩擦抵抗が大きくほぼロック状態となる。このため、吸口体前進時には、サイドブラシ７３は回転しない。一方、吸口体後退時には、起毛布７３ｂと壁１１ｂの表面との間の摩擦抵抗が小さく、サイドブラシ７３は床面Ｍとの摩擦力によって回転方向Ｗ４の方向へ回転する。
【００５９】
次に壁際の清掃時のサイドブラシ７３の動作について説明する。図１４および図１５は、吸口体６を用いて壁Ｋの際を清掃している様子を下方向から見た図である。図１４は吸口体前進時を示す図であり、サイドブラシ７３は回転しない。そのため壁際の塵埃Ｄ５は、サイドブラシ７３により遮られ、バンパ１１ａの隙間を通ってブラシ室Ｑ内に吸引される。このときサイドブラシ７３は回転しないため、壁際の床面に蓄積した塵埃を擦り取る効果もある。
【００６０】
図１５は吸口体後退時を示す図であり、サイドブラシ７３は回転する。そのため壁際の塵埃Ｄ６は、サイドブラシ７３の下方を通過し、バンパ１１ａの隙間を通ってブラシ室Ｑ内に吸引される。サイドブラシ７３は、刷毛体等の弾性材料で覆われているため、壁Ｋや床面Ｍを傷つけることはない。
【００６１】
なおここではサイドブラシ７３の動作について述べたが、サイドブラシ７２の動作も同様であり、吸口体６の左右どちらの壁際の塵埃も吸引する事が出来る。
【００６２】
以上述べたように本実施例２によれば、簡単な構成で吸口体の横方向（左右方向）の集塵性能を向上させることができるので、小型軽量で高集塵な電気掃除機の吸口体を提供することができる。
【００６３】
また、本実施例２によれば、サイドブラシ７２および７３が第１回転清掃体２０より前方にあるので、隅の塵埃も吸引しやすいという効果もある。
【実施例３】
【００６４】
以下、本発明に係る実施例３について図１６〜図２１を参照して説明する。なお、実施例１と同一の構成物には同一番号を付している。
【００６５】
図１６は、実施例３の吸口体の上面図である。図１７は実施例３の吸口体の下面図である。図１８は実施例３の吸口体の側面図である。図１９は図１８におけるＣ−Ｃ断面図である。サイドブラシ７５はブラシ台７５ｄと、その周囲に、先端付近が床面と接触するように複数のナイロン材等からなる刷毛体７５ｅが植毛されている（図２０参照）。  
さらにサイドブラシ７５は、ブラシ台７５ｄの上部に、シャフト７５ａと、その周囲に回転自由に配置されブラシ台７５ｄと直結されたパイプ体７５ｃと、パイプ体７５ｃの外側に螺旋状に巻かれた微細繊維で形成されたカットパイル状の起毛布７５ｂとから構成されており、この起毛布７５ｂの微細繊維はパイプ体７５ｃに対し円周方向に傾斜している。この起毛布７５ｂの先端は、吸口体の円筒状の壁１１ｃの表面に接触する様な刷毛高さを有している。このため、サイドブラシ７５が回転する際、起毛布７５ｂと壁１１ｃの表面との間で、摩擦抵抗が発生するが、微細繊維がパイプ体７５ｃに対し円周方向に傾斜しているため、回転方向Ｗ５には、摩擦抵抗が大きくほぼロック状態となる。一方、回転方向Ｗ６の方向には、起毛布７５ｂと壁１１ｃの表面との間の摩擦抵抗が小さくなる。
【００６６】
次に壁際の清掃時のサイドブラシ７５の動作について説明する。図２０および図２１は、吸口体６を用いて壁Ｋの際を清掃している様子を下方向から見た図である。
【００６７】
図２０は吸口体６の前進時であり、刷毛体７５ｅと壁Ｋとの接触により回転駆動力が発生するが、起毛布７５ｂと壁１１ｃの表面との間の摩擦抵抗が大きいためサイドブラシ７５は回転しない。そのため壁際の塵埃Ｄ７は、サイドブラシ７５により遮られ、バンパ１１ａの隙間を通ってブラシ室Ｑ内に吸引される。このときサイドブラシ７５は回転しないため、壁際の床面に蓄積した塵埃を擦り取る効果もある。
【００６８】
図２１は吸口体６の後退時であり、刷毛体７５ｅと壁Ｋとの接触により回転駆動力が、起毛布７５ｂと壁１１ｃの表面との間の摩擦抵抗より大きいためサイドブラシ７５は回転する。そのため壁際の塵埃Ｄ８は、サイドブラシ７５の下方を通過し、バンパ１１ａの隙間を通ってブラシ室Ｑ内に吸引される。サイドブラシ７５は複数のナイロン材等からなる刷毛体７５ｅが植毛されているため、壁Ｋや床面Ｍを傷つけることはない。
【００６９】
なおここではサイドブラシ７５の動作について述べたが、サイドブラシ７４の動作も同様であり、吸口体６の左右どちらの壁際の塵埃も吸引する事が出来る。
【００７０】
以上述べたように本実施例によれば、簡単な構成で吸口体横方向の集塵性能を向上させることができるので、小型軽量で高集塵な電気掃除機の吸口体を提供することができる。
【００７１】
また、本実施例によれば、サイドブラシ７４および７５が第１回転清掃体２０より前方にあるので、隅の塵埃も吸引しやすいという効果もある。
【００７２】
また、サイドブラシ７４および７５が回転するので、ナイロン材等からなる刷毛体７５ｅの一か所のみが常に床や壁に接触するのではなく、複数の刷毛体７５ｅが均等に床や壁に接触するので、刷毛体の７５ｅの摩耗や変形を抑えることが出来るという効果もある。
【符号の説明】
【００７３】
１      電気掃除機
２      掃除機本体
２ａ    電動送風機
２ｂ    集塵部
６      吸口体
１０    吸口ケース
２０    第１回転清掃体（回転ブラシ）
３０    第２回転清掃体
４０    電動機
５０    回路基板（制御基板）
７０、７１    実施例１によるサイドブラシ
７２、７３    実施例２によるサイドブラシ
７４、７５    実施例１によるサイドブラシ
Ｍ      床面
Ｗ      壁
Ｑ      ブラシ室
Ｐ      均圧室
【図１】
2018183467.tif 000003
【図２】
2018183467.tif 000004
【図３】
2018183467.tif 000005
【図４】
2018183467.tif 000006
【図５】
2018183467.tif 000007
【図６】
2018183467.tif 000008
【図７】
2018183467.tif 000009
【図８】
2018183467.tif 000010
【図９】
2018183467.tif 000011
【図１０】
2018183467.tif 000012
【図１１】
2018183467.tif 000013
【図１２】
2018183467.tif 000014
【図１３】
2018183467.tif 000015
【図１４】
2018183467.tif 000016
【図１５】
2018183467.tif 000017
【図１６】
2018183467.tif 000018
【図１７】
2018183467.tif 000019
【図１８】
2018183467.tif 000020
【図１９】
2018183467.tif 000021
【図２０】
2018183467.tif 000022
【図２１】
2018183467.tif 000023